(57)【要約】      （修正有）【課題】情報データの破壊、盗難、複製、収集行為を防ぎ、安全性及び操作性を向上する。【解決手段】携帯電話収納ケース１５にＩＣカード内蔵型携帯電話１０に内蔵している非接触型ＩＣカード機能を有した携帯電話用ＩＣカード認識センサー部１３に反応する外部機器（リーダー／ライター）２０から入出力された電磁波２１を遮断する電磁波シールドシート繊維１９を前記携帯電話収納ケース１５の素材として使用している動物の皮製表側１７及び動物の皮製裏側１８に両面全面部に対して接着剤１９ａで挟みこむ構成にした。【選択図】図２
0003113350.tif 000002
【実用新案登録請求の範囲】
【請求項１】
非接触型ＩＣカード機能を有し、携帯電話用ＩＣカードに情報データを記録しているＩＣカード内蔵型携帯電話に対して、前記ＩＣカード内蔵型携帯電話に内蔵している前記非接触型ＩＣカード機能を持ったセンサー部に反応する電磁波を遮断する電磁波シールド材料で前記センサー部が接している片面全面及び片面一部をおおうように構成することを特徴とした携帯電話収納ケース。
【請求項２】
非接触型ＩＣカード機能を有し、携帯電話用ＩＣカード機能に情報データを記録しているＩＣカード内蔵型携帯電話に対して、前記ＩＣカード内蔵型携帯電話に内蔵している前記非接触型ＩＣカード機能を持ったセンサー部に反応する電磁波を遮断する電磁波シールド材料で前記センサー部が接している両面全面及び両面一部をおおうように構成することを特徴とした携帯電話収納ケース。
【考案の詳細な説明】
【技術分野】
【０００１】  本考案は、非接触型ＩＣカード機能を有し、携帯電話用ＩＣカードに情報データを記録しているＩＣカード内蔵型携帯電話に対して、前記ＩＣカード内蔵型携帯電話に内蔵している前記非接触型ＩＣカード機能を持ったセンサー部に反応する電磁波を遮断する電磁波シールド材料で前記センサー部が接している片面全面及び片面一部もしくは両面全面及び両面一部をおおうように構成された携帯電話収納ケースに関するものである。
【背景技術】
【０００２】  従来の携帯電話収納ケースの材料として例えば、動物の皮製、人工的に作った人工皮製、布製、ナイロン製、ビニール製などの素材を使用してつくられた前記携帯電話収納ケースが一般的であり、現状では携帯電話を保管及び収納する携帯電話収納ケースとして一般的に多く使われている。【０００３】  また非接触型ＩＣカード機能が付属されているＩＣカード内蔵型携帯電話には、現在セキュリティー機能として前記ＩＣカード内蔵型携帯電話に内蔵しているＩＣカード機能を使用可能、または使用不可能に切り替えられるように個人の暗証番号や個人の指紋認証の照合などにより判断をおこなうように設定されている。
【考案の開示】
【考案が解決しようとする課題】
【０００４】  しかしながら上述の様に従来の携帯電話収納ケースでは、動物の皮製、人工的に作った人工皮製、布製、ナイロン製、ビニール製などの素材を使用して作られているために非接触型ＩＣカード機能を内蔵し、携帯電話用ＩＣカードに情報データを記録しているＩＣカード内蔵型携帯電話に対して、前記ＩＣカード内蔵型携帯電話に内蔵している前記非接触型ＩＣカード機能を持ったセンサー部に反応する外部機器からの電磁波を遮断することができずに外部からのセキュリティーや保護がまったくなく、前記ＩＣカード内蔵型携帯電話に内蔵している携帯電話用ＩＣカードの破損や前記携帯電話用ＩＣカード内に記録されている情報データの盗難を目的とした外部機器からの複製や収集行為及び破損を防ぐことができなかった。【０００５】  さらに非接触型ＩＣカード機能が付属されているＩＣカード内蔵型携帯電話には個人の暗証番号や個人の指紋認証の照合などにより判断をしているセキュリティー機能が備わっているが、前記非接触型ＩＣカード機能の使用前、使用後には必ず認証が必要となり、前記ＩＣカード内蔵型携帯電話にある前記非接触型ＩＣカード機能使用時には大変操作性が悪く、また前記ＩＣカード内蔵型携帯電話を前記非接触型ＩＣカード機能使用中で放置していた場合に外部機器からの電磁波を遮断することができずに外部からのセキュリティーや保護がまったくなく、前記ＩＣカード内蔵型携帯電話に内蔵している携帯電話用ＩＣカードの破損や前記携帯電話用ＩＣカード内に記録された情報データの盗難を目的とした外部機器からの複製や収集行為及び破損を防ぐことができなかった。【０００６】  本考案は、このような従来の構成が有していた問題を解決しようとするものであり、前記動物の皮製、人工的に作った人工皮製、布製、ナイロン製、ビニール製などの素材を使用してつくられた前記携帯電話収納ケースに対して前記ＩＣカード内蔵型携帯電話に内蔵している前記非接触型ＩＣカード機能のセンサー部に反応する電磁波を遮断する電磁波シールドシート材料を内蔵もしくは前記携帯電話収納ケースの材料に対して前記電磁波を遮断する素材を有して前記ＩＣカード内蔵型携帯電話に内蔵している前記携帯電話用ＩＣカードのセンサー部の片面全面及び片面一部もしくは両面全面及び両面一部に設けた構成にすることにより、前記ＩＣカード内蔵型携帯電話に内蔵している携帯電話用ＩＣカードの破損を防ぎ、前記携帯電話用ＩＣカード内に記録されている前記情報データの破損、盗難、複製、収集行為を防ぎ、前記ＩＣカード内蔵型携帯電話に対する安全性と操作性高めて前記情報データに対する万全なセキュリティーと外部からの保護を行いながら操作性の向上を実現することを目的とするものである。
【課題を解決するための手段】
【０００７】  前記問題を解決するために、本考案に係る携帯電話収納ケースは、次のように構成したものである。【０００８】  即ち、本考案の請求項１に記載の考案は、ＩＣカード内蔵型携帯電話に対して、前記ＩＣカード内蔵型携帯電話に内蔵している前記非接触型ＩＣカード機能のセンサー部に反応する電磁波を遮断する電磁波シールド材料で前記センサー部が接している片面全面及び片面一部をおおうように構成することを特徴とする携帯電話収納ケースである。【０００９】  即ち、本考案の請求項２に記載の考案は、ＩＣカード内蔵型携帯電話に対して、前記ＩＣカード内蔵型携帯電話に内蔵している前記非接触型ＩＣカード機能のセンサー部に反応する電磁波を遮断する電磁波シールド材料で前記センサー部が接している両面全面及び両面一部をおおうように構成することを特徴とする携帯電話収納ケースである。
【考案の効果】
【００１０】  上述のように、本考案の携帯電話収納ケースは動物の皮製、人工的に作った人工皮製、布製、ナイロン製、ビニール製などの素材を使用してつくられた前記携帯電話収納ケースに前記ＩＣカード内蔵型携帯電話に内蔵している前記非接触型ＩＣカード機能のセンサー部に反応する電磁波を遮断する電磁波シールドシート材料を内蔵もしくは前記携帯電話収納ケースの材料に対して前記電磁波を遮断する素材を有して前記ＩＣカード内蔵型携帯電話に内蔵している前記携帯電話用ＩＣカードのセンサー部の片面全面及び片面一部もしくは両面全面及び両面一部に設けた構成にすることにより、前記ＩＣカード内蔵型携帯電話に内蔵している携帯電話用ＩＣカードの破損を防ぎ、前記携帯電話用ＩＣカードに記録されている前記情報データの破損、盗難、複製、収集行為を防ぎ、前記ＩＣカード内蔵型携帯電話に対する安全性と操作性高めて前記情報データに対する万全なセキュリティーと外部からの保護を行いながら操作性の向上を実現して高い効果を発揮するものである。
【考案を実施するための最良の形態】
【００１１】  以下、本考案に係る携帯電話収納ケースの実施の形態を図１、図２、図３、図４に基づいて詳細に説明する。【００１２】  図１は本考案の一実施例を適用した一般的に使用されている動物の皮でつくられた携帯電話収納ケースに、ＩＣカード内蔵型携帯電話に内蔵している前記非接触型ＩＣカード機能のセンサー部に反応する電磁波を遮断する電磁波シールドシート材料を前記ＩＣカード内蔵型携帯電話に内蔵している前記携帯電話用ＩＣカードのセンサー部の片面に接している前記動物の皮と皮の間及び片面全面に設置した携帯電話収納ケースの概要を模式的に示す構成説明図である。また図２は本考案の一実施例を適用した図１の携帯電話収納ケースの断面図および外部機器からのセキュリティーの概要を模式的に示す構成説明図である。【００１３】  図３は本考案の一実施例を適用した一般的に使用されている動物の皮でつくられた携帯電話収納ケースに、ＩＣカード内蔵型携帯電話に内蔵している前記非接触型ＩＣカード機能のセンサー部に反応する電磁波を遮断する電磁波シールドシート材料を前記ＩＣカード内蔵型携帯電話に接している前記動物の皮と皮の間及び両面全面に設置した携帯電話収納ケースの概要を模式的に示す構成説明図である。また図４は本考案の一実施例を適用した図３の携帯電話収納ケースの断面図および外部機器からのセキュリティーの概要を模式的に示す構成説明図である。【００１４】  即ち、図１、図２に示す実施例、一般的に使用されている動物の皮でつくられた携帯電話収納ケース１５にＩＣカード内蔵型携帯電話１０に内蔵している非接触型ＩＣカード機能を有した携帯電話用ＩＣカード認識センサー部１３に反応する外部機器（リーダー／ライター）２０から入出力された電磁波２１を遮断する電磁波シールドシート繊維１９を前記携帯電話収納ケース１５の素材として使用している動物の皮製表側１７及び動物の皮製裏側１８の間に前記携帯電話用ＩＣカード認識センサー部１３に接する側に片面全面部に対して接着剤１９ａで挟みこむ構成にすることにより、ＩＣカード内蔵型携帯電話１０を使用しないときは前記携帯電話収納ケース１５にＩＣカード内蔵型携帯電話を収納することで、前記ＩＣカード内蔵型携帯電話１０に内蔵している携帯電話用ＩＣカード１１の破損を防ぎ、前記携帯電話用ＩＣカード１１に記録されている情報データ１４の破損、盗難、複製、収集行為を防ぎ、前記ＩＣカード内蔵型携帯電話１０に対する安全性と操作性高めて前記情報データ１４に対する万全なセキュリティーと外部からの保護を行うことが可能となる。【００１５】  さらにＩＣカード内蔵型携帯電話１０使用時には前記携帯電話収納ケース１５の携帯電話収納バンド１６をはずして前記ＩＣカード内蔵型携帯電話１０を前記携帯電話収納ケース１５から取りはずすことにより、使用時に個人の暗証番号や個人の指紋認証の照合をしなくても前記ＩＣカード内蔵型携帯電話１０内の非接触型ＩＣカード機能を有した携帯電話用ＩＣカード認識センサー部１３が使用可能となり、操作性の向上を実現して高い効果を発揮するものである。【００１６】  即ち、図３、図４に示す実施例、一般的に使用されている動物の皮でつくられた携帯電話収納ケース１５にＩＣカード内蔵型携帯電話１０に内蔵している非接触型ＩＣカード機能を有した携帯電話用ＩＣカード認識センサー部１３に反応する外部機器（リーダー／ライター）２０から入出力された電磁波２１を遮断する電磁波シールドシート繊維１９を前記携帯電話収納ケース１５の素材として使用している動物の皮製表側１７及び動物の皮製裏側１８に両面全面部に対して接着剤１９ａで挟みこむ構成にすることにより、ＩＣカード内蔵型携帯電話１０を使用しないときは前記携帯電話収納ケース１５にＩＣカード内蔵型携帯電話を収納することで、前記ＩＣカード内蔵型携帯電話１０に内蔵している携帯電話用ＩＣカード１１の破損を防ぎ、前記携帯電話用ＩＣカード１１に記録されている情報データ１４の破損、盗難、複製、収集行為を防ぎ、前記ＩＣカード内蔵型携帯電話１０に対する安全性と操作性高めて前記情報データ１４に対する万全なセキュリティーと外部からの保護を行うことが可能となる。【００１７】  さらにＩＣカード内蔵型携帯電話１０使用時には前記携帯電話収納ケース１５の携帯電話収納バンド１６をはずして前記ＩＣカード内蔵型携帯電話１０を前記携帯電話収納ケース１５から取りはずすことにより、使用時に個人の暗証番号や個人の指紋認証の照合をしなくても前記ＩＣカード内蔵型携帯電話１０内の非接触型ＩＣカード機能を有した携帯電話用ＩＣカード認識センサー部１３が使用可能となり、操作性の向上を実現して高い効果を発揮するものである。【００１８】  上述に明記されている実施例、図１、図２は一例であり、携帯電話収納ケース１５の材料を電磁波シールドシート繊維１９で使用しても構わない。【００１９】  上述に明記されている実施例、図１は一例であり、前記電磁波シールドシート繊維１９を携帯電話用ＩＣカード認識センサー部１３側へ片面全面の仕様であるが、前記携帯電話用ＩＣカード認識センサー部１３の面積を前記電磁波シールドシート繊維１９で片面カバーしていれば前記電磁波シールドシート繊維１９で片面全面をカバーしているのと同類の機能が得られ、低コストで製造可能となる。【００２０】  上述に明記されている実施例、図２は一例であり、前記電磁波シールドシート繊維１９を両面全面の仕様であるが、前記携帯電話用ＩＣカード認識センサー部１３の面積を前記電磁波シールドシート繊維１９で両面カバーしていれば前記電磁波シールドシート繊維１９で両面全面をカバーしているのと同類の機能が得られ、低コストで製造可能となる。【００２１】  一般的に使用されている携帯電話収納ケース１５の材料は、上述図１、図２の内容は一例であり、前記材料に電磁波シールドシート繊維１９を内蔵する方法として接着、圧入、編みこみなど多数存在する。【００２２】  通常の電磁波シールドシート繊維１９は、電磁波２１の周波数遮断範囲の仕様により材料及び構成内容が異なるが、材料としては、ニッケル、コバルト、クロム、アルミ、チタン、銀、プラチナ、金、銅、マンガンなどを使用してメッシュ状やシート状に加工構成するのが一般的に使用されている。【００２３】  前記携帯電話収納ケース１５で使用された電磁波シールドシート材は電磁波シールドシート繊維１９であるが、その他に電磁波シールド不織布、電磁波シールドテープ、���磁波シールド粉体、電磁波シールドフィルムシート、電磁波シールド塗料、電磁波シールドゴム、電磁波シールドプラスチックなど多数存在し、用途や目的に合わせて複合設定することが可能である。【００２４】  従って本実施例の構成では、先に述べた従来例の場合と比較して次のようなそれぞれの効果が得られる。即ち、
（１）収納を目的とした現在使用されている携帯電話収納ケースに、ＩＣカード内蔵型携帯電話に内蔵している前記非接触型ＩＣカード機能のセンサー部に反応する電磁波を遮断する電磁波シールドシート材料を前記携帯電話収納ケースの材料にはさみこむように接着および構成することで、携帯電話用ＩＣカードに記録されている情報データの盗難を目的とした外部機器からの盗難、複製、収集行為を防ぎ、簡易に低価格で前記携帯電話用ＩＣカード内にある前記携帯電話用ＩＣカードに記録されている前記情報データに対する盗難防止や破損防止が可能であること。
（２）ＩＣカード内蔵型携帯電話を前記携帯電話収納ケースから取りはずすことにより、使用時に個人の暗証番号や個人の指紋認証の照合をしなくても前記ＩＣカード内蔵型携帯電話内の非接触型ＩＣカード機能を有した携帯電話用ＩＣカード認識センサー部が使用可能となり、操作性の向上を実現して高い効果を発揮するものである。
【図面の簡単な説明】
【００２５】
【図１】  図１は本考案の一実施例を適用した一般的に使用されている動物の皮でつくられた携帯電話収納ケースに、ＩＣカード内蔵型携帯電話に内蔵している前記非接触型ＩＣカード機能のセンサー部に反応する電磁波を遮断する電磁波シールドシート材料を前記ＩＣカード内蔵型携帯電話に内蔵している前記携帯電話用ＩＣカードのセンサー部の片面に接している前記動物の皮と皮の間及び片面全面に設置した携帯電話収納ケースの概要を模式的に示す構成説明図である。
【図２】  図２は本考案の一実施例を適用した図１の携帯電話収納ケースの断面図および外部機器からのセキュリティーの概要を模式的に示す構成説明図である。
【図３】  図３は本考案の一実施例を適用した一般的に使用されている動物の皮でつくられた携帯電話収納ケースに、ＩＣカード内蔵型携帯電話に内蔵している前記非接触型ＩＣカード機能のセンサー部に反応する電磁波を遮断する電磁波シールドシート材料を前記ＩＣカード内蔵型携帯電話に接している前記動物の皮と皮の間及び両面全面に設置した携帯電話収納ケースの概要を模式的に示す構成説明図である。
【図４】  図４は本考案の一実施例を適用した図３の携帯電話収納ケースの断面図および外部機器からのセキュリティーの概要を模式的に示す構成説明図である。
【符号の説明】
【００２６】１０    ＩＣカード内蔵型携帯電話
１１    携帯電話用ＩＣカード
１２    携帯電話受信送信アンテナ部
１３    携帯電話用ＩＣカード認識センサー部
１４    情報データ
１５    携帯電話収納ケース
１６    携帯電話収納バンド
１７    動物の皮製表側
１８    動物の皮製裏側
１９    電磁波シールドシート繊維
１９ａ  接着剤
２０    外部機器（リーダー／ライター）
２１    電磁波
【図１】
0003113350.tif 000003
【図２】
0003113350.tif 000004
【図３】
0003113350.tif 000005
【図４】
0003113350.tif 000006